(57)【要約】【課題】表示画面の画面作成から説明用コンテンツ作成までの作業の効率化を図る。【解決手段】表示画面設定情報処理部５１は、表示画面を設計するために、表示画面の設定に関する設定情報の入力、設定等の各種処理を行う。説明情報処理部５３は、設計した表示画面の操作マニュアル等の説明用コンテンツを作成するために、説明用コンテンツの生成に関する説明情報の入力等の各種処理を行う。説明用コンテンツ情報出力部５４は、入力された設定情報と説明情報とを含む説明用コンテンツ情報を生成し、印刷またはファイル出力等によって出力して、操作マニュアル等として利用可能にする。【選択図】図４
2011076213.tif 000002
【特許請求の範囲】
【請求項１】
表示装置における表示画面の設計に用いる表示画面設計支援装置であって、
前記表示画面の設定に関する設定情報を入力し処理する表示画面設定情報処理部と、
前記設定情報における対象物の説明に関する説明情報を入力し処理する説明情報処理部と、
前記設定情報と前記説明情報とを含む説明用コンテンツ情報を生成し出力する説明用コンテンツ情報出力部と、
を備える表示画面設計支援装置。
【請求項２】
請求項１に記載の表示画面設計支援装置であって、
前記説明用コンテンツ情報出力部は、前記設定情報と前記説明情報との関連性を持たせた説明用コンテンツ情報を生成し出力する表示画面設計支援装置。
【請求項３】
請求項２に記載の表示画面設計支援装置であって、
前記説明用コンテンツ情報出力部は、前記設定情報と前記説明情報とを関連付けて配置することにより説明用コンテンツ情報を生成する表示画面設計支援装置。
【請求項４】
請求項１に記載の表示画面設計支援装置であって、
当該装置の動作モードとして、前記表示画面の作成のための前記設定情報の処理を行う第１のモードと、前記説明用コンテンツ情報の作成のための前記説明情報の処理を行う第２のモードとを有する表示画面設計支援装置。
【請求項５】
請求項１に記載の表示画面設計支援装置であって、
前記説明用コンテンツ情報出力部は、前記表示画面が複数のレベル毎の異なる表示画面を有する場合に、前記レベルに応じた表示画面に対応する説明用コンテンツ情報を出力可能である表示画面設計支援装置。
【請求項６】
請求項１に記載の表示画面設計支援装置であって、
前記説明用コンテンツ情報出力部は、前記設定情報と前記説明情報の少なくとも一方が異なる複数の出力パターンを設定可能であり、前記出力パターンの選択指示に基づいて対応する説明用コンテンツ情報を出力する表示画面設計支援装置。
【請求項７】
請求項１に記載の表示画面設計支援装置であって、
前記説明用コンテンツ情報出力部は、前記設定情報として、文字情報、画像情報の少なくとも一方とともに音声情報を有する場合に、前記音声情報を含めた説明用コンテンツ情報を出力する表示画面設計支援装置。
【請求項８】
請求項１に記載の表示画面設計支援装置であって、
前記説明用コンテンツ情報出力部は、前記設定情報における対象物に関する目次情報を含む説明用コンテンツ情報を生成し出力する表示画面設計支援装置。
【請求項９】
請求項８に記載の表示画面設計支援装置であって、
前記説明情報処理部は、前記目次情報として出力する目次出力項目を設定入力する機能を有し、
前記説明用コンテンツ情報出力部は、前記目次出力項目の設定に基づいて目次情報を出力する表示画面設計支援装置。
【請求項１０】
請求項１に記載の表示画面設計支援装置であって、
前記説明用コンテンツ情報出力部は、前記設定情報を特定するためのファイル情報を含む説明用コンテンツ情報を出力する表示画面設計支援装置。
【請求項１１】
請求項１に記載の表示画面設計支援装置であって、
前記設定情報と前記説明情報の少なくとも一方のテキスト情報における単位を変換する単位変換処理部を有し、前記設定情報または前記説明情報から単位情報を含むテキスト情報を抽出し、前記単位情報が国際標準のＳＩ単位とは異なる場合に、ＳＩ単位への単位変換処理を行う表示画面設計支援装置。
【請求項１２】
請求項１１に記載の表示画面設計支援装置であって、
前記単位変換処理部は、前記単位変換処理において、該当する単位及び数値を自動変換する表示画面設計支援装置。
【請求項１３】
請求項１に記載の表示画面設計支援装置であって、
前記説明用コンテンツ情報出力部は、前記設定情報及び前記説明情報に関する索引情報を含む説明用コンテンツ情報を生成し出力する表示画面設計支援装置。
【請求項１４】
請求項１に記載の表示画面設計支援装置であって、
前記説明用コンテンツ情報出力部は、前記設定情報と前記説明情報の少なくとも一方に関する変更履歴情報を含む説明用コンテンツ情報を出力する表示画面設計支援装置。
【請求項１５】
請求項１４に記載の表示画面設計支援装置であって、
前記変更履歴情報として、変更日付、バージョン、変更内容のうちの少なくとも一つを入力する変更履歴情報入力部を有し、
前記説明用コンテンツ情報出力部は、前記入力された変更履歴情報を配置した説明用コンテンツ情報を生成し出力する表示画面設計支援装置。
【請求項１６】
請求項１に記載の表示画面設計支援装置であって、
前記説明用コンテンツ情報出力部は、前記設定情報における対象物の関係を示す関係情報を含む説明用コンテンツ情報を生成し出力する表示画面設計支援装置。
【請求項１７】
コンピュータに、請求項１〜１６のいずれかに記載の表示画面設計支援装置の各部の機能を実現させるためのプログラム。
【発明の詳細な説明】
【技術分野】
【０００１】
本発明は、プログラマブル操作表示器等の表示装置における表示画面の設計を支援する表示画面設計支援装置及びプログラムに関する。
【背景技術】
【０００２】
工場、店舗、オフィス等の種々の施設に設けられる機械または設備等において、中間ユーザによって取り付けられ、エンドユーザによって操作表示パネルとして使用されるプログラマブル操作表示器が広く用いられている。プログラマブル操作表示器は、ＬＣＤ等の表示デバイスの上にタッチパネル等の操作入力デバイスを搭載した表示部を備えており、プログラマブルロジックコントローラ（ＰＬＣ）等の外部機器と接続され、外部機器の操作、動作状況の表示などを行うものである。
【０００３】
この種のプログラマブル操作表示器として、表示デバイス及び操作入力デバイスを有する表示部の他に、オペレーションシステムプログラムを格納したシステムメモリ、オペレーションシステムプログラムに基づいてシステム全体を制御する制御部、外部機器と接続されその外部機器との間でデータを送受信する通信部、表示部の表示画面の設定情報を記憶する設定記憶メモリ等を備えたものが存在する（例えば、特許文献１参照）。表示部の表示画面には、設定情報に基づいて、外部機器操作用の操作ボタンまたは操作スイッチ等の操作部材、各種表示用の文字または画像等の表示シンボルなどが表示される。表示画面の操作部材などの表示領域を触れることにより、表示画面上の操作入力デバイス及び制御部によって操作部材に対応する操作入力信号が生成され、通信部より出力されて外部機器へ伝送される。
【０００４】
上記プログラマブル操作表示器等の表示装置の表示画面は、パーソナルコンピュータ等のコンピュータ上で動作し実行される設計支援ツール等により構成される表示画面設計支援装置を用いて、画面の設計を行うことが一般的である。
【０００５】
例えばプログラマブル操作表示器を使用する場合、設置する中間ユーザは、設計者として表示画面設計支援装置にて表示画面の設計を行い、表示画面の表示項目として、操作部材または表示シンボル等に関する設定内容あるいは設定条件を含む設定情報を決定する。表示画面設計支援装置を構成する設計支援ツールは、ライン描画または色指定などの描画機能に加え、表示画面に設ける操作部材または表示シンボル等を入力するための様々なオブジェクトライブラリを持っている。オブジェクトライブラリには、スイッチ部品、ランプ部品、キーボード部品、グラフ部品などの各種オブジェクトを準備している。これらのオブジェクトは、表示画面の設計時において、設計者の指示に基づき必要に応じて選択、配置され、そのパラメータ等を含む設定情報が作成される。表示画面の設計完了後、表示画面の設定情報をコンピュータからプログラマブル操作表示器に転送し、プログラマブル操作表示器の設定記憶メモリに記憶させる。
【０００６】
そして、エンドユーザが使用者として使用する場合、プログラマブル操作表示器は設定情報に基づいて動作し、設備または外部機器等の状態表示部、スイッチまたは数値設定等の操作入力部などの所定の機能を実現する。これにより、使用者は、表示画面の表示内容を確認したり、所定の操作を行うことが可能になる。すなわち、上記のように作成したプログラマブル操作表示器等の表示装置の表示画面は、設備等の状態を見たり、稼働させたりする人とのインタフェース部分になる。
【先行技術文献】
【特許文献】
【０００７】
【特許文献１】特開平１１−４５１１０号公報
【特許文献２】特開２００１−２４３４８５号公報
【発明の概要】
【発明が解決しようとする課題】
【０００８】
表示画面を操作するための操作マニュアル等の説明用コンテンツを考えた時、操作マニュアルの中には表示する画面の画像を用いて、画面自体もしくは画面に配置したオブジェクトの説明を行う方法が良く見られる。このような操作マニュアルを作成する際、表示画面設計支援装置の設計支援ツールから画像データを出力して、これら画像データを操作マニュアルを編集する文書編集ソフトウェアにインポートするのが一般的である。設計支援ツールには、表示画面の画像データ、表示画面の設定情報のリストなどを出力する機能を持つものがある。また、操作マニュアル等の手順書を作成する方法として、特許文献２に開示されているように、画像データ格納手段に格納されているイラストの画像データから、空枠のある手順書の画像データをコンピュータシステムにおける表示装置の画面に表示させ、画像データ格納手段に格納されている所定のイラストの画像データを取出して表示装置の画面に表示されている画像データの空枠に貼りつけ、空枠に貼り付けたイラストの配置或いは大きさを調整すると共に注意事項を入力して所定の手順書を作成する方法が提案されている。
【０００９】
従来においては、上記のような操作マニュアルを作成するために、操作マニュアルを編集する文書編集ソフトウェアに、画面またはオブジェクトの画像データをインポートして、その画面またはオブジェクトと、これらの説明文とを適切に配置する作業が必要となる。しかしながら、インポートする画像データが複数になる場合、これらの作業を繰り返す必要があり、非常に手間がかかるという課題がある。
【００１０】
本発明は、上記事情に鑑みてなされたもので、その目的は、表示画面の画面作成から説明用コンテンツ作成までの作業の効率化を図ることが可能な表示画面設計支援装置及びプログラムを提供することにある。
【課題を解決するための手段】
【００１１】
本発明は、表示装置における表示画面の設計に用いる表示画面設計支援装置であって、前記表示画面の設定に関する設定情報を入力し処理する表示画面設定情報処理部と、前記設定情報における対象物の説明に関する説明情報を入力し処理する説明情報処理部と、前記設定情報と前記説明情報とを含む説明用コンテンツ情報を生成し出力する説明用コンテンツ情報出力部と、を備える表示画面設計支援装置を提供する。
この構成により、例えば設定情報と説明情報とを含む説明用コンテンツ情報を印刷、ファイル出力等により出力することによって、表示画面の説明をするための操作マニュアル等を容易に作成して提供することが可能である。この際、例えば、表示画面そのもの、表示画面上に配置されたオブジェクト、あるいは、表示画面上に表示されない機能などの対象物について、表示装置上での動きなどを規定する設定情報と、この対象物それぞれに対しての内容、動作等を説明するための説明情報とを、ダイアログ等の入力画面を用いて入力し、これらの設定情報と説明情報とを含む説明用コンテンツ情報を出力する。これによって、表示画面の画面作成から説明用コンテンツ作成までの作業の効率化を図ることができ、説明用コンテンツの作成にかかる時間短縮、処理手順の簡略化を実現可能となる。
【００１２】
また、本発明は、上記の表示画面設計支援装置であって、前記説明用コンテンツ情報出力部は、前記設定情報と前記説明情報との関連性を持たせた説明用コンテンツ情報を生成し出力するものを含む。
また、本発明は、上記の表示画面設計支援装置であって、前記説明用コンテンツ情報出力部は、前記設定情報と前記説明情報とを関連付けて配置することにより説明用コンテンツ情報を生成するものを含む。
この構成により、例えば設定情報と説明情報とを関連性を持たせた状態で印刷、ファイル出力等により出力することによって、表示画面の説明をするための操作マニュアル等を容易に作成して提供することが可能である。この際、例えば、説明用コンテンツにおいて、設定情報と説明情報とを同一ページに配置したり、番号、記号などを用いて関連性を表したり、あるいは、設計者またはコンテンツ作成者が各項目を自由に配置して関連付けることにより、これらの関連性が判別できる形式で紙、ファイル等に出力可能である。
【００１３】
また、本発明は、上記の表示画面設計支援装置であって、当該装置の動作モードとして、前記表示画面の作成のための前記設定情報の処理を行う第１のモードと、前記説明用コンテンツ情報の作成のための前記説明情報の処理を行う第２のモードとを有するものを含む。
この構成により、それぞれの動作モードによって設定情報の入力処理と説明情報の入力処理とが容易に可能になる。この際、例えば、同一の入力ダイアログにおいてタブを用いて設定情報と説明情報のそれぞれの入力設定画面を切り替えたり、設定情報入力用の画面と説明情報入力用の画面とを切り替えるなどして、表示画面の作成時の環境と説明用コンテンツ情報の作成時の環境とを切り替えることが可能である。
【００１４】
また、本発明は、上記の表示画面設計支援装置であって、前記説明用コンテンツ情報出力部は、前記表示画面が複数のレベル毎の異なる表示画面を有する場合に、前記レベルに応じた表示画面に対応する説明用コンテンツ情報を出力可能であるものを含む。
この構成により、例えば使用者レベル等のレベルに応じて表示画面の表示内容、オブジェクトの設定値等が異なる場合に、レベルに応じた異なる表示画面に対応する説明用コンテンツ情報を出力できる。この際、例えば、出力したいレベルを設定したり、出力したいレベルに応じた設定情報及びコメント情報を設定することで、所望の説明用コンテンツ情報を生成出力できる。また、出力する際の設定情報及びコメント情報、または説明用コンテンツ情報のレベルに関して、任意に登録、選択できるようにすることも可能である。
【００１５】
また、本発明は、上記の表示画面設計支援装置であって、前記説明用コンテンツ情報出力部は、前記設定情報と前記説明情報の少なくとも一方が異なる複数の出力パターンを設定可能であり、前記出力パターンの選択指示に基づいて対応する説明用コンテンツ情報を出力するものを含む。
この構成により、例えば使用者レベル等のレベルに応じて、あるいは、出力したい設定情報及び説明情報の内容、形式等に応じて、印刷出力、ファイル出力等について複数の出力パターンを設定登録し、記憶しておけば、ここから出力パターンを選択することによって、所望の態様の説明用コンテンツ情報を出力可能である。
【００１６】
また、本発明は、上記の表示画面設計支援装置であって、前記説明用コンテンツ情報出力部は、前記設定情報として、文字情報、画像情報の少なくとも一方とともに音声情報を有する場合に、前記音声情報を含めた説明用コンテンツ情報を出力するものを含む。
この構成により、文字情報、画像情報による設定情報の他に、音声情報を含む説明用コンテンツ情報をファイルなどの媒体に出力可能となる。この際、例えば、表示画面またはオブジェクトに関連づけられた音声情報を出力する場合に、ＨＴＭＬなどの音声情報を扱えるファイルを用いて、音声情報も含めて出力するものとする。
【００１７】
また、本発明は、上記の表示画面設計支援装置であって、前記説明用コンテンツ情報出力部は、前記設定情報における対象物に関する目次情報を含む説明用コンテンツ情報を生成し出力するものを含む。
また、本発明は、上記の表示画面設計支援装置であって、前記説明情報処理部は、前記目次情報として出力する目次出力項目を設定入力する機能を有し、前記説明用コンテンツ情報出力部は、前記目次出力項目の設定に基づいて目次情報を出力するものを含む。
この構成により、説明用コンテンツ情報において表示画面等の対象物に関する目次を作成して出力することが可能となる。この際、例えば、複数のページを持つ説明用コンテンツ情報を生成する場合に、対象物が出力されるページ番号情報を取得し、対象物の設定情報、説明情報、ページ番号情報等から目次を作成して、印刷、ファイル出力等を行うものとする。また、目次として出力する／しないを目次出力項目において設定することで、その設定情報に基づき任意に所望の項目を有する目次を作成可能である。
【００１８】
また、本発明は、上記の表示画面設計支援装置であって、前記説明用コンテンツ情報出力部は、前記設定情報を特定するためのファイル情報を含む説明用コンテンツ情報を出力するものを含む。
この構成により、設定情報を特定するためのファイル情報として、例えば設定情報が格納されたファイルのファイル名、作成日付、バージョンなどの情報を説明用コンテンツ情報に含めて出力することで、元の表示画面の設定情報を含むファイルと、これに対応する説明用コンテンツ情報を出力した印刷またはファイル出力等の出力媒体との関連性を管理可能である。このため、説明用コンテンツ情報のファイル情報を参照することで、対応する設定情報等を容易に特定して取得、確認することが可能になる。
【００１９】
また、本発明は、上記の表示画面設計支援装置であって、前記設定情報と前記説明情報の少なくとも一方のテキスト情報における単位を変換する単位変換処理部を有し、前記設定情報または前記説明情報から単位情報を含むテキスト情報を抽出し、前記単位情報が国際標準のＳＩ単位とは異なる場合に、ＳＩ単位への単位変換処理を行うものを含む。
また、本発明は、上記の表示画面設計支援装置であって、前記単位変換処理部は、前記単位変換処理において、該当する単位及び数値を自動変換するものを含む。
この構成により、表示画面の設定情報または説明情報がＳＩ単位とは異なる場合に、単位変換して適切な表記にすることが可能である。この際、例えば、ＳＩ単位の単位情報を格納したデータベースを設け、抽出したテキスト情報の単位情報をデータベースの格納情報と比較してＳＩ単位であるかを判定する。ＳＩ単位と異なる場合に、単位変換処理として、設計者またはコンテンツ作成者に対して警告をしたり、警告に対して確認があった場合に単位を変換したり、あるいは自動的に単位を変換するものとする。また、単位の表記の変更と共に、その数値も適正に変更可能である。
【００２０】
また、本発明は、上記の表示画面設計支援装置であって、前記説明用コンテンツ情報出力部は、前記設定情報及び前記説明情報に関する索引情報を含む説明用コンテンツ情報を生成し出力するものを含む。
この構成により、説明用コンテンツ情報において、設定情報、説明情報のテキスト情報を抽出し、これらのテキスト情報から索引を作成して出力することが可能である。
【００２１】
また、本発明は、上記の表示画面設計支援装置であって、前記説明用コンテンツ情報出力部は、前記設定情報と前記説明情報の少なくとも一方に関する変更履歴情報を含む説明用コンテンツ情報を出力するものを含む。
また、本発明は、上記の表示画面設計支援装置であって、前記変更履歴情報として、変更日付、バージョン、変更内容のうちの少なくとも一つを入力する変更履歴情報入力部を有し、前記説明用コンテンツ情報出力部は、前記入力された変更履歴情報を配置した説明用コンテンツ情報を生成し出力するものを含む。
この構成により、設定情報とコメント情報を含む説明用コンテンツ情報を印刷した紙、出力ファイルなどの媒体に出力する場合に、説明用コンテンツ情報の出力媒体の版管理が可能である。この際、例えば、変更日付、バージョン、変更内容等の変更履歴情報を入力し、変更履歴表などを作成して変更履歴情報として出力することが可能である。また、変更履歴情報を出力媒体のファイル名などに付加することも可能である。
【００２２】
また、本発明は、上記の表示画面設計支援装置であって、前記説明用コンテンツ情報出力部は、前記設定情報における対象物の関係を示す関係情報を含む説明用コンテンツ情報を生成し出力するものを含む。
この構成により、例えば、表示画面間、オブジェクト間などの対象物の関係を示す説明用コンテンツ情報を出力でき、使用者が容易に対象物の関係を把握することが可能になる。この際、例えば、関係情報を入力する関係情報入力部を設け、関係情報として対象物の関係図などを入力することで、説明用コンテンツ情報を出力する際に設定情報、説明情報、及びこれらの関係情報を関連付けた形式で出力可能である。
【００２３】
また、本発明は、コンピュータに、上記いずれかに記載の表示画面設計支援装置の各部の機能を実現させるためのプログラムを提供する。
【発明の効果】
【００２４】
本発明によれば、表示画面の画面作成から説明用コンテンツ作成までの作業の効率化を図ることが可能な表示画面設計支援装置及びプログラムを提供できる。
【図面の簡単な説明】
【００２５】
【図１】本実施形態に係る表示画面設計支援装置及びプログラマブル操作表示器の概略構成を示す模式図
【図２】本実施形態に係る表示画面設計支援装置及びプログラマブル操作表示器を実現する各部の機能的構成を示すブロック図
【図３】本実施形態の表示画面設計支援装置に搭載される表示画面設計支援ツールの動作画面を示す図
【図４】本実施形態の表示画面設計支援ツールの概念的構成を示すブロック図
【図５】第１の実施形態に係る設定情報及び説明情報の入力から出力までの処理手順を示すフローチャート
【図６】（Ａ）、（Ｂ）は第１の実施形態に係る説明情報入力画面の例を示す図
【図７】説明情報の配置処理の第１例を示す図
【図８】説明情報の配置処理の第２例を示す図
【図９】説明情報の配置処理の第３例を示す図
【図１０】説明情報の配置処理の第４例を示す図
【図１１】第２の実施形態に係る表示画面の設定情報と説明情報の入力モード切替処理の手順を示すフローチャート
【図１２】（Ａ）〜（Ｄ）は第２の実施形態に係るモード別のＧＵＩ画面の第１例を示す図
【図１３】（Ａ）、（Ｂ）は第２の実施形態に係るモード別のＧＵＩ画面の第２例を示す図
【図１４】第３の実施形態に係る設定情報及び説明情報の入力から出力までの処理手順を示すフローチャート
【図１５】第３の実施形態に係るレベル別の説明用コンテンツ情報の出力処理の例を示す図
【図１６】第４の実施形態に係る設定情報及び説明情報の入力から出力までの処理手順を示すフローチャート
【図１７】第４の実施形態に係る複数パターンの説明用コンテンツ情報の出力処理の例を示す図
【図１８】第５の実施形態に係る設定情報及び説明情報の入力から出力までの処理手順を示すフローチャート
【図１９】第５の実施形態に係る音声情報を含む説明用コンテンツ情報の出力処理の例を示す図
【図２０】第６の実施形態に係る設定情報及び説明情報の入力から出力までの処理手順を示すフローチャート
【図２１】第６の実施形態に係る目次情報を含む説明用コンテンツ情報の出力処理の第１例を示す図
【図２２】第６の実施形態に係る目次情報を含む説明用コンテンツ情報の出力処理の第２例を示す図
【図２３】第７の実施形態に係る設定情報及び説明情報の入力から出力までの処理手順を示すフローチャート
【図２４】第７の実施形態に係るファイル情報を含む説明用コンテンツ情報の出力処理の例を示す図
【図２５】（Ａ）、（Ｂ）は第８の実施形態に係る設定情報及び説明情報の入力から出力までの処理手順を示すフローチャート
【図２６】（Ａ）、（Ｂ）は第８の実施形態に係るＳＩ単位変換処理の第１例を示す図
【図２７】（Ａ）、（Ｂ）は第８の実施形態に係るＳＩ単位変換処理の第２例を示す図
【図２８】第９の実施形態に係る設定情報及び説明情報の入力から出力までの処理手順を示すフローチャート
【図２９】（Ａ）〜（Ｃ）は第９の実施形態に係る索引情報を含む説明用コンテンツ情報の出力処理の例を示す図
【図３０】第１０の実施形態に係る設定情報及び説明情報の入力から出力までの処理手順を示すフローチャート
【図３１】第１０の実施形態に係る変更履歴情報を含む説明用コンテンツ情報の出力処理の例を示す図
【図３２】第１１の実施形態に係る設定情報及び説明情報の入力から出力までの処理手順を示すフローチャート
【図３３】第１１の実施形態に係る変更履歴情報を含む説明用コンテンツ情報の出力処理の例を示す図
【図３４】本実施形態における説明用コンテンツ情報の全体構成を示す図
【発明を実施するための形態】
【００２６】
本実施形態では、表示画面設計支援装置及びプログラムの一例として、表示装置として用いられるプログラマブル操作表示器の表示部の表示画面に対応し、この表示画面の設計を支援する装置の構成、機能、及びその動作について説明する。本実施形態の表示画面設計支援装置及びプログラムは、プログラマブル操作表示器と接続されるコンピュータにおいて動作する表示画面設計支援ツールを有して構成される。
【００２７】
図１は本実施形態に係る表示画面設計支援装置及びプログラマブル操作表示器の概略構成を示す模式図、図２は本実施形態に係る表示画面設計支援装置及びプログラマブル操作表示器を実現する各部の機能的構成を示すブロック図である。
【００２８】
表示画面設計支援装置に搭載される表示画面設計支援ツールは、コンピュータとしてのパーソナルコンピュータ（ＰＣ）１０において動作し特定の機能を実現するプログラムによって構成される。図１に示すように、設計入力操作用の端末となるパーソナルコンピュータ１０は、コンピュータ本体１１とモニタ１２とを有して構成され、表示画面設計支援ツールの動作画面がモニタ１２上に表示される。このパーソナルコンピュータ１０は、通信ケーブル２０を介してプログラマブル操作表示器３０と接続され、表示画面設計支援ツールにより設計した表示画面の設定情報をプログラマブル操作表示器３０に伝送して記憶させる。なお、通信ケーブル２０の代わりに、図示しないメモリカード等の記憶媒体を用いて、設計した表示画面の設定情報をプログラマブル操作表示器３０に転送することも可能である。
【００２９】
図２に示すように、コンピュータ本体１１には、各種処理を行うプロセッサとしてのＣＰＵ１３、動作時のプログラム及びデータを記憶するメモリ１４、表示画面設計支援ツール１５を含む各種プログラム及びデータを格納するハードディスクまたはシリコンディスク等からなる情報格納部１６、モニタ１２に対する出力を中継する表示インタフェース１７、通信ケーブル２０と接続されプログラマブル操作表示器３０との間でデータを送受信する通信インタフェース１８、キーボードまたはマウス等の操作デバイスによる操作部２５と接続され操作入力信号を中継する操作インタフェース１９が設けられている。一方、プログラマブル操作表示器３０には、表示デバイスと操作入力デバイスとを有してなる表示部３１、オペレーションシステムプログラムを格納したシステムメモリ３２、オペレーションシステムプログラムに基づいてシステム全体を制御する制御部３３、通信ケーブル２０と接続されパーソナルコンピュータ１０との間でデータを送受信する通信部３４、表示部３１の表示画面の設定情報を記憶する設定記憶メモリ３５が設けられている。表示部３１は、表示デバイスとしてのＬＣＤ３６と操作入力デバイスとしてのタッチパネル３７とを有して構成される。
【００３０】
図３は本実施形態の表示画面設計支援装置に搭載される表示画面設計支援ツールの動作画面を示す図である。パーソナルコンピュータ１０において表示画面設計支援ツール１５が動作したとき、モニタ１２には動作画面として設計画面４１などが表示される。設計画面４１は、表示画面のオブジェクトの配置や色設定等を行うものであり、設計者が各種部品等の配置オブジェクト４２を適宜配置して表示画面の設計を行うものである。設計画面４１の右側には、表示画面に用いる操作部材等の各種のオブジェクト４４が配列されたオブジェクトライブラリ画面４３が表示される。設計者はオブジェクトライブラリ画面４３内のオブジェクト４４を適宜選択して設計画面４１に配置し、オブジェクトの位置、大きさ、色等の設定を行う。
【００３１】
図４は本実施形態の表示画面設計支援ツールの概念的構成を示すブロック図である。表示画面設計支援ツール１５は、各機能を実現する概念的構成として、表示画面設定情報処理部５１、オブジェクト情報保持部５２、説明情報処理部５３、説明用コンテンツ情報出力部５４を有している。
【００３２】
表示画面設定情報処理部５１は、表示画面を設計するために、表示画面の設定に関する設定情報の各種処理を行う。この際、表示画面設定情報処理部５１は、操作部２５の指示操作による操作入力信号等に基づき、オブジェクトの配置、背景、色設定等の画面設定の入力を行い、入力した設定情報の処理を行う。表示画面の設定完了後、設定情報として表示画面データを出力し、通信インタフェース１８、または図示しないメモリカード等を介してプログラマブル操作表示器３０に転送する。また、表示画面設定情報処理部５１は、上記設計画面４１の表示出力を行い、モニタ１２に設計画面等を表示させる。
【００３３】
オブジェクト情報保持部５２は、プログラマブル操作表示器３０の表示画面に用いる各種オブジェクトの情報を有し、上記オブジェクトライブラリ画面４３の表示情報を出力し、モニタ１２にオブジェクトライブラリ画面を表示させる。また、オブジェクト情報保持部５２は、表示画面設定情報処理部５１に対して指定されたオブジェクトの情報を出力する。オブジェクトとしては、スイッチ部品、ランプ部品、キーボード部品、グラフ部品などとともに、文字や画像等のキャラクタ部品を含むものとし、オブジェクト情報保持部５２にはこれらのオブジェクトの形状等のオブジェクト情報が格納される。キャラクタ部品はオブジェクト情報保持部５２とは別に保持していてもよい。そして、表示画面設定情報処理部５１によって、選択されたオブジェクトの配置位置、大きさ、色等のパラメータが設定される。
【００３４】
説明情報処理部５３は、設計した表示画面の操作マニュアル等の説明用コンテンツを作成するために、説明用コンテンツの生成に関する説明情報の各種処理を行う。この際、説明情報処理部５３は、操作部２５の指示操作による操作入力信号等に基づき、表示画面またはその画面上のオブジェクト等の説明に関する情報入力を行い、入力した説明情報の処理を行う。上記設計した表示画面の設定情報と、表示画面に関する説明情報とは、説明用コンテンツ情報出力部５４に入力される。
【００３５】
説明用コンテンツ情報出力部５４は、上記の設定情報と説明情報とを含む説明用コンテンツ情報を生成して出力する。説明用コンテンツ情報は、操作マニュアル等として利用可能なものであり、紙媒体等に印刷するための印刷用情報、モニタ等に表示するための表示用情報などとして、印刷出力またはファイル出力等によって出力される。説明用コンテンツ情報の形式としては、表示用情報などで汎用的に利用する場合、あるいは音声等を含むマルチメディアコンテンツなどに適用する場合などを想定し、ＨＴＭＬ、ＸＭＬ等を用いることもできる。
【００３６】
本実施形態の表示画面設計支援ツール１５は、説明情報処理部５３によって表示画面に関する説明情報を入力して処理し、説明用コンテンツ情報出力部５４によって表示画面の設定情報と説明情報とを含む説明用コンテンツ情報を出力する。ここで、設定情報は、表示画面それ自体、表示画面上に配置されたオブジェクト、または表示画面上に表示されない機能（スクリプト機能等）のうちの少なくともいずれか一つを含む対象物の設定に関する情報であり、対象物の動作、表示形態等を定めるものである。説明情報は、上記設定情報で規定される表示画面、表示画面上のオブジェクト、あるいは機能等の対象物について、これら対象物のそれぞれに対して内容（どのようなものか）、動作（どのような動作をするか）等の説明をするための情報である。説明用コンテンツ情報は、上記のような設定情報及び説明情報を含むものであり、例えば、設定情報と説明情報とを関連付けて示したコンテンツ情報である。このような説明用コンテンツ情報に基づいて、表示画面の操作マニュアル等、印刷物または画面表示等による各種説明用コンテンツを作成し利用することができる。
【００３７】
（第１の実施形態）
本実施形態に係る表示画面設計支援装置の第１の実施形態として、説明情報の入力及び配置処理、設定情報及び説明情報の出力処理の一例について説明する。
【００３８】
図５は第１の実施形態に係る設定情報及び説明情報の入力から出力までの処理手順を示すフローチャートである。表示画面設計支援ツール１５は、モニタ１２に設計画面を表示し、この設計画面において表示画面の設定情報を入力する（ステップＳ１１）。この際、表示画面設定情報処理部５１により、オブジェクト情報保持部５２に保持されたオブジェクト情報を用いて設定情報の選択、確定の処理を行う。また、表示画面設計支援ツール１５は、モニタ１２に説明情報入力画面を表示し、この説明情報入力画面において設定情報におけるオブジェクト等の対象物に対して説明情報を入力する（ステップＳ１２）。この際、説明情報処理部５３により、操作部２５の指示操作等に基づいて説明情報の入力処理を行う。
【００３９】
図６の（Ａ）、（Ｂ）は第１の実施形態に係る説明情報入力画面の例を示す図である。図６（Ａ）に示す画面設定ダイアログ１０１、図６（Ｂ）に示すスイッチ設定ダイアログ１０２は、設計画面において表示画面、あるいはスイッチ等のオブジェクトを選択指示した際に、ポップアップ画面等で表示されるダイアログ画面である。画面設定ダイアログ１０１では、表示画面の種別等を示すＩＤ情報である画面番号、背景色、画面タイトル、説明文などの設定、入力ができるようになっている。説明文において、当該表示画面の説明情報を入力可能である。スイッチ設定ダイアログ１０２では、スイッチの種別等を示すＩＤ情報であるスイッチモード、出力先、説明文などの設定、入力ができるようになっている。説明文において、当該オブジェクトの説明情報を入力可能である。
【００４０】
図５に戻り、表示画面設計支援ツール１５は、説明用コンテンツ情報出力部５４により、上記入力した表示画面の設定情報と説明情報の配置処理を行う（ステップＳ１３）。図７は説明情報の配置処理の第１例を示す図であり、説明用コンテンツ情報の印刷またはファイル出力イメージの一例を示したものである。第１例の説明用コンテンツ情報１０３では、表示画面またはオブジェクトのそれぞれについて、設定情報である各対象物の画像情報の下または横に、テキスト情報の説明情報を対応付けて配置するようにしている。そして、上記のように設定情報及び説明情報が配置された説明用コンテンツ情報を、説明用コンテンツ情報出力部５４により、印刷またはファイル出力によって出力する（ステップＳ１４）。以上の処理により、設定情報と説明情報との関連性を持たせた説明用コンテンツ情報１０３が生成され、出力される。
【００４１】
図８は説明情報の配置処理の第２例を示す図であり、説明用コンテンツ情報の印刷またはファイル出力イメージの他の例を示したものである。第２例の説明用コンテンツ情報１０４は、説明用コンテンツ情報出力部５４により、複数ページ（図示例では２ページ）のマニュアル情報を生成したものである。この際、図７の第１例と同様に、表示画面またはオブジェクトのそれぞれについて、設定情報である各対象物の画像情報の下または横にテキスト情報の説明情報を対応付けて配置し、同一ページに設定情報の画像情報と説明情報の説明文とを配置している。
【００４２】
図９は説明情報の配置処理の第３例を示す図であり、説明用コンテンツ情報の印刷またはファイル出力イメージのさらの他の例を示したものである。第３例の説明用コンテンツ情報１０５は、説明用コンテンツ情報出力部５４により、複数ページ（図示例では２ページ）のマニュアル情報を生成したものであり、設定情報の画像情報と説明情報の説明文とを関連付けて異なるページに配置している。この際、表示画面またはオブジェクトのそれぞれについて、設定情報である各対象物の画像情報と説明情報の説明文とにそれぞれ記号または番号を付し、同一の記号または番号を持つ設定情報と説明情報とが対応するように両者に関連性を持たせる。これにより、異なるページに設定情報の画像情報と説明情報の説明文とを配置する際、画像情報と同一の記号または番号の説明文を参照することで、対象物に対応する説明情報を確認できる。
【００４３】
図１０は説明情報の配置処理の第４例を示す図であり、説明用コンテンツ情報の配置画面の例を示したものである。第４例では、説明用コンテンツ情報出力部５４により、説明用コンテンツ情報の配置編集画面１０６を表示し、設計者またはコンテンツ作成者による操作部２５等を用いた任意の指示に基づいて配置処理を行う。この際、画面設定ダイアログ１０１、スイッチ設定ダイアログ１０２等のダイアログ画面において入力した項目に対して、配置画面１０６上で自由な配置が可能である。これにより、設定情報である各対象物の画像情報と、これに対応する説明情報の説明文とに関して、任意の配置を行った説明用コンテンツ情報を生成出力することができる。
【００４４】
本実施形態によれば、設定情報と説明情報とを含む説明用コンテンツ情報を印刷、ファイル出力等により出力することによって、表示画面の説明をするための操作マニュアル等を容易に作成して提供することができる。したがって、従来のように、表示画面の設計をした後、操作マニュアルを編集する文書編集ソフトウェアにおいて、表示画面またはオブジェクトの画像データを取り込み、この画像データと説明文とを適切に配置する作業などを省くことができる。よって、説明用コンテンツの作成における手間を削減し、処理手順の簡略化を図ることができ、作成にかかる時間を短縮できる。
【００４５】
また、設定情報と説明情報とを関連性を持たせた状態で印刷、ファイル出力等により出力することによって、表示画面の説明をするための操作マニュアル等を容易に作成して提供することができる。この際、説明用コンテンツにおいて、設定情報と説明情報とを同一ページに配置したり、番号、記号などを用いて関連性を表したり、あるいは、設計者またはコンテンツ作成者が各項目を自由に配置して関連付けることにより、これらの関連性が判別できる形式で紙、ファイル等に出力可能である。
【００４６】
（第２の実施形態）
本実施形態に係る表示画面設計支援装置の第２の実施形態として、表示画面の設定情報と説明情報の入力モード切替処理の一例について説明する。
【００４７】
図１１は第２の実施形態に係る表示画面の設定情報と説明情報の入力モード切替処理の手順を示すフローチャートである。第２の実施形態では、表示画面設計支援ツール１５の動作モードとして、表示画面の作成（画面動作設定編集等）のための設定情報を処理する第１のモード（画面作成モード）と、説明用コンテンツ情報の作成（説明情報編集等）のための説明情報を処理する第２のモード（マニュアル作成モード）とを有するものとする。
【００４８】
表示画面設計支援ツール１５は、表示画面設定情報処理部５１により、設計者またはコンテンツ作成者による操作部２５等を用いた指示に応じて、画面動作設定編集を行うかどうかを判定する（ステップＳ２１）。ここで、画面動作設定編集を行う指示を受けた場合、画面作成モードに移行し、画面動作設定編集を行うための設計画面、ライブラリ画面等のＧＵＩを提供する（ステップＳ２２）。また、ステップＳ２１において、画面動作設定編集ではなく、説明情報編集を行う指示を受けた場合、説明情報処理部５３により、マニュアル作成モードに移行し、説明情報編集を行うためのダイアログ画面等のＧＵＩを提供する（ステップＳ２３）。
【００４９】
図１２の（Ａ）〜（Ｄ）は第２の実施形態に係るモード別のＧＵＩ画面の第１例を示す図である。この第１例は、画面上のタブの切替によって入力モード及び編集画面の切替を行う例である。図１２（Ａ）、（Ｂ）はモード別の画面設定ダイアログを示したものであり、（Ａ）は画面作成モード時の画面設定ダイアログ１１１Ａ、（Ｂ）はマニュアル作成モード時の画面設定ダイアログ１１１Ｂをそれぞれ示している。画面作成モード時の画面設定ダイアログ１１１Ａでは、画面番号、背景色等の設定情報を入力し、画面動作設定編集が可能になっている。マニュアル作成モード時の画面設定ダイアログ１１１Ｂでは、画面タイトル、説明文などの説明情報を入力し、説明情報編集が可能になっている。
【００５０】
図１２（Ｃ）、（Ｄ）はモード別のスイッチ設定ダイアログを示したものであり、（Ｃ）は画面作成モード時のスイッチ設定ダイアログ１１２Ａ、（Ｂ）はマニュアル作成モード時のスイッチ設定ダイアログ１１２Ｂをそれぞれ示している。画面作成モード時のスイッチ設定ダイアログ１１２Ａでは、オブジェクト番号、スイッチモード、出力先等の設定情報を入力し、画面動作設定編集が可能になっている。マニュアル作成モード時のスイッチ設定ダイアログ１１２Ｂでは、説明文などの説明情報を入力し、説明情報編集が可能になっている。
【００５１】
図１３は第２の実施形態に係るモード別のＧＵＩ画面の第２例を示す図である。この第２例は、画面上のウィンドウ全体を切り替えることによって入力モード及び編集画面の切替を行う例である。図１３（Ａ）は画面作成モード時の設定情報入力画面１１３を、図１３（Ｂ）はマニュアル作成モード時の説明情報入力画面１１４をそれぞれ示している。画面作成モード時の設定情報入力画面１１３では、画面上のオブジェクトの配置を設定する設計画面、オブジェクトライブラリ画面等によって、表示画面の設定情報を選択、入力することで、画面動作設定編集が可能になっている。マニュアル作成モード時の説明情報入力画面１１４では、表示画面の各対象物の画像情報及び対応する説明情報の説明文を編集するマニュアル編集画面等によって、説明情報の入力、設定情報及び説明情報の配置設定を行うことで、説明情報編集が可能になっている。
【００５２】
本実施形態によれば、それぞれの動作モードによって表示画面の作成時の環境と説明用コンテンツ情報の作成時の環境とを切り替え、設定情報の入力処理と説明情報の入力処理とを容易に行うことができる。
【００５３】
（第３の実施形態）
本実施形態に係る表示画面設計支援装置の第３の実施形態として、使用者レベル等のレベルに応じた説明用コンテンツ情報の生成、出力処理の一例について説明する。
【００５４】
図１４は第３の実施形態に係る設定情報及び説明情報の入力から出力までの処理手順を示すフローチャートである。第３の実施形態では、使用者レベル（使用者のセキュリティレベル）、使用環境、等の複数のレベル毎に内容や動作が異なる表示画面を設計する場合に、各レベルの表示画面に対応する説明用コンテンツ情報の出力を可能としている。
【００５５】
表示画面設計支援ツール１５は、第１の実施形態と同様に、表示画面設定情報処理部５１により、モニタ１２に設計画面を表示し、この設計画面において表示画面の設定情報を入力する（ステップＳ３１）。この際、複数のレベルの表示画面それぞれの設定を行い、使用者レベル等の各レベルによって使用する表示画面を切り替え可能とする。また、表示画面設計支援ツール１５は、第１の実施形態と同様に、説明情報処理部５３により、モニタ１２に説明情報入力画面を表示し、この説明情報入力画面において設定情報におけるオブジェクト等の対象物に対して説明情報を入力する（ステップＳ３２）。
【００５６】
そして、表示画面設計支援ツール１５は、説明用コンテンツ情報出力部５４により、設定情報において入力されているレベル情報を参照し、使用者レベル等のレベル確認処理を行う（ステップＳ３３）。この際、レベル情報に基づき、当該レベルに応じた画面、オブジェクト等の対象物の表示／非表示を判定する。次いで、このレベル確認結果に基づき、上記入力した表示画面の設定情報と説明情報の配置処理を行う（ステップＳ３４）。そして、説明用コンテンツ情報出力部５４により、設定情報及び説明情報が配置された説明用コンテンツ情報を印刷またはファイル出力によって出力する（ステップＳ３５）。
【００５７】
図１５は第３の実施形態に係るレベル別の説明用コンテンツ情報の出力処理の例を示す図である。この例は、レベルとして複数の使用者レベル（セキュリティレベル）を設定し、使用者レベル別に設定した複数種の表示画面に対応して、操作マニュアルの説明用コンテンツ情報を生成、出力する例である。図示例では、一般者向けのレベル１の表示画面１２１Ａと、管理者向けのレベル１０の表示画面１２１Ｂとを設定し、それぞれの表示画面を使用者レベルに応じて表示させるようにしている。そして、レベル別に出力可能な説明用コンテンツ情報の出力画面として、出力したい説明用コンテンツ情報のレベル設定を行う印刷設定ダイアログ１２２Ａ、１２２Ｂを用いるものとする。このレベル設定に基づき、印刷またはファイル出力イメージで示される説明用コンテンツ情報１２３Ａ、１２３Ｂのように、レベル別の説明用コンテンツ情報が生成されて出力される。
【００５８】
印刷設定ダイアログ１２２Ａにおいてレベル１（一般者向け）を設定した場合、レベル１で表示すべき表示画面、オブジェクト等の対象物の画像情報とともに、これに対応する説明情報が配置された説明用コンテンツ情報１２３Ａが出力される。また、印刷設定ダイアログ１２２Ｂにおいてレベル１０（管理者向け）を設定した場合、レベル１０で表示すべき管理者用の表示画面、オブジェクト等を含む対象物の画像情報とともに、これに対応する説明情報が配置された説明用コンテンツ情報１２３Ｂが出力される。
【００５９】
本実施形態によれば、使用者レベル等のレベルに応じて、異なる表示画面に対応する説明用コンテンツ情報を出力でき、所望の説明用コンテンツ情報を生成して出力することができる。また、出力する際の設定情報及びコメント情報、または説明用コンテンツ情報のレベルに関して、任意に登録、選択できるようにすることも可能である。
【００６０】
（第４の実施形態）
本実施形態に係る表示画面設計支援装置の第４の実施形態として、レベル設定等に応じた複数パターンの説明用コンテンツ情報の生成、出力処理の一例について説明する。
【００６１】
図１６は第４の実施形態に係る設定情報及び説明情報の入力から出力までの処理手順を示すフローチャートである。第４の実施形態では、使用者レベル等のレベル設定に応じた各表示画面に対応する説明用コンテンツ情報、または、複数種の説明情報に対応する説明用コンテンツ情報、あるいは、異なる形式の説明用コンテンツ情報など、複数パターンの説明用コンテンツ情報を出力可能としている。
【００６２】
表示画面設計支援ツール１５は、第１の実施形態と同様に、表示画面設定情報処理部５１により、モニタ１２に設計画面を表示し、この設計画面において表示画面の設定情報を入力する（ステップＳ４１）。また、表示画面設計支援ツール１５は、第１の実施形態と同様に、説明情報処理部５３により、モニタ１２に説明情報入力画面を表示し、この説明情報入力画面において設定情報におけるオブジェクト等の対象物に対して説明情報を入力する（ステップＳ４２）。
【００６３】
また、表示画面設計支援ツール１５は、説明用コンテンツ情報出力部５４により、複数レベルの表示画面、複数種の説明情報など、異なる設定情報または説明情報に対応する複数態様の出力パターン（１〜Ｎ）の設定処理を行う（ステップＳ４３）。ここで、出力パターンの設定は、モニタ１２に出力パターン設定入力画面を表示し、設計者またはコンテンツ作成者による操作部２５の指示操作等に基づいて行ってもよいし、複数レベルの表示画面の設定などの設定入力時の各態様に対応して、自動的に複数の出力パターンが設定されるようにしてもよい。設定した複数の出力パターンは、説明用コンテンツ情報出力部５４において記憶して登録しておく。
【００６４】
次に、説明用コンテンツ情報出力部５４により、複数の出力パターンの各パターンを処理するループ（ｎ＝１〜Ｎ）を開始し（ステップＳ４４）、ｎ番目のパターン設定情報を取得する（ステップＳ４５）。そして、当該パターンに対応する表示画面の設定情報と説明情報の配置処理を行う（ステップＳ４６）。次いで、説明用コンテンツ情報出力部５４により、当該パターンの設定情報及び説明情報が配置された説明用コンテンツ情報を印刷またはファイル出力によって出力する（ステップＳ４７）。そして、ｎ＝１〜ＮまでステップＳ４５〜Ｓ４７の処理を同様に行い、ループが終了すると（ステップＳ４８）、この処理を終了する。なお、全ての出力パターンを出力せずに、設計者またはコンテンツ作成者が特定の出力パターンを選択し、選択された出力パターンの説明用コンテンツ情報を出力するようにしてもよい。
【００６５】
図１７は第４の実施形態に係る複数パターンの説明用コンテンツ情報の出力処理の例を示す図である。この例は、複数の使用者レベル（セキュリティレベル）の表示画面を設定した場合に、使用者レベル毎の複数の出力パターンを設定し、各出力パターンの操作マニュアルの説明用コンテンツ情報を生成、出力する例である。図示例では、一般者向けのレベル１と管理者向けのレベル１０の使用者レベルを設けてレベル毎の表示画面の設定情報及び説明情報を設定し、各レベルに対応する説明用コンテンツ情報の出力パターンを設定している。そして、説明用コンテンツ情報の出力画面として、説明用コンテンツ情報の出力パターンの選択を行う印刷設定ダイアログ１３２Ａ、１３２Ｂを用いるものとする。この場合、出力パターンの選択指示は、設計者またはコンテンツ作成者が印刷設定ダイアログ１３２Ａ、１３２Ｂのタブを切り替えることによって行う。この出力パターンの設定、選択に基づき、印刷またはファイル出力イメージで示される説明用コンテンツ情報１３３Ａ、１３３Ｂのように、出力パターン別の説明用コンテンツ情報が生成されて出力される。
【００６６】
印刷設定ダイアログ１３２Ａにおいてパターン１（セキュリティレベル１）を選択した場合、レベル１で表示すべき表示画面、オブジェクト等の対象物の画像情報とともに、これに対応する説明情報が配置された説明用コンテンツ情報１３３Ａが出力される。また、印刷設定ダイアログ１３２Ｂにおいてパターン２（セキュリティレベル１０）を設定した場合、レベル１０で表示すべき管理者用の表示画面、オブジェクト等を含む対象物の画像情報とともに、これに対応する説明情報が配置された説明用コンテンツ情報１３３Ｂが出力される。この場合、複数の出力パターンを登録可能にすることで、出力パターンの選択のみで所望の説明用コンテンツ情報を出力できるので、レベル毎の説明用コンテンツ情報などを出力する際に何度も設定し直す必要がなくなる。
【００６７】
本実施形態によれば、使用者レベル等のレベルに応じて、あるいは、出力したい設定情報及び説明情報の内容、形式等に応じて、複数の出力パターンを設定登録し、記憶しておくことで、ここから出力パターンを選択することによって、複数の出力パターンの中から所望の態様の説明用コンテンツ情報を出力することができる。
【００６８】
（第５の実施形態）
本実施形態に係る表示画面設計支援装置の第５の実施形態として、音声情報を含む説明用コンテンツ情報の生成、出力処理の一例について説明する。
【００６９】
図１８は第５の実施形態に係る設定情報及び説明情報の入力から出力までの処理手順を示すフローチャートである。第５の実施形態では、説明情報として音声情報を使用し、音声情報を含む説明用コンテンツ情報を出力可能としている。例えば、表示画面の設定情報として、文字情報、画像情報の少なくとも一方とともに、音声情報を有する場合、この音声情報を説明用コンテンツ情報に含めて出力する。
【００７０】
表示画面設計支援ツール１５は、第１の実施形態と同様に、表示画面設定情報処理部５１により、モニタ１２に設計画面を表示し、この設計画面において表示画面の設定情報を入力する（ステップＳ５１）。また、表示画面設計支援ツール１５は、第１の実施形態と同様に、説明情報処理部５３により、モニタ１２に説明情報入力画面を表示し、この説明情報入力画面において設定情報におけるオブジェクト等の対象物に対して説明情報を入力する（ステップＳ５２）。そして、表示画面設計支援ツール１５は、説明用コンテンツ情報出力部５４により、音声出力の設定の有無を判定する（ステップＳ５３）。ここで、音声出力の設定がある場合（ステップＳ５３でＮｏ）は、説明情報の音声情報を含む音声ファイルを取得する（ステップＳ５４）。一方、音声出力の設定がない場合（ステップＳ５３でＹｅｓ）はそのまま次の処理に進む。
【００７１】
次に、説明用コンテンツ情報出力部５４により、上記入力した表示画面の設定情報と説明情報の配置処理を行う（ステップＳ５５）。ここで、音声出力が設定されている場合は、取得した音声ファイルの合成処理を行う。音声ファイルを合成する場合は、説明用コンテンツ情報の形式としてＨＴＭＬ、ＸＭＬ等を用い、コンテンツに音声ファイルを埋め込むようにする。そして、説明用コンテンツ情報出力部５４により、設定情報及び説明情報が配置され、音声情報が合成された説明用コンテンツ情報を印刷またはファイル出力によって出力する（ステップＳ５６）。
【００７２】
図１９は第５の実施形態に係る音声情報を含む説明用コンテンツ情報の出力処理の例を示す図である。この例は、表示画面上のスイッチの動作に音声再生を設定した場合に、対応する音声情報を説明用コンテンツ情報に合成して出力する例である。図示例では、表示画面１４１において音声を再生する音声案内スイッチを設定し、そのスイッチ設定ダイアログ１４２では、対応する音声情報の音声ファイル（Sound.wav）を設定するようになっている。また、スイッチ設定ダイアログ１４２において、説明文などの説明情報を入力可能になっている。この音声出力設定に基づき、ファイル出力イメージで示される説明用コンテンツ情報１４３のように、音声情報を含む説明用コンテンツ情報が生成されて出力される。
【００７３】
この場合、ＨＴＭＬファイルとこれにリンクされた音声ファイルを出力するものとし、表示画面、オブジェクト等の対象物の画像情報とともに、これに対応する説明情報が配置された説明用コンテンツ情報１４３が出力される。ブラウザ等で表示された説明用コンテンツ情報１４３において、スイッチの画像をクリックすると、関連付けられた音声ファイル（Sound.wav）が再生される。
【００７４】
本実施形態によれば、文字情報、画像情報による設定情報の他に、音声情報を含む説明用コンテンツ情報をＨＴＭＬファイルなどの媒体に出力することができる。
【００７５】
（第６の実施形態）
本実施形態に係る表示画面設計支援装置の第６の実施形態として、目次情報を含む説明用コンテンツ情報の生成、出力処理の一例について説明する。
【００７６】
図２０は第６の実施形態に係る設定情報及び説明情報の入力から出力までの処理手順を示すフローチャートである。第６の実施形態では、説明用コンテンツ情報において目次情報を出力可能としている。
【００７７】
表示画面設計支援ツール１５は、第１の実施形態と同様に、表示画面設定情報処理部５１により、モニタ１２に設計画面を表示し、この設計画面において表示画面の設定情報を入力する（ステップＳ６１）。また、表示画面設計支援ツール１５は、第１の実施形態と同様に、説明情報処理部５３により、モニタ１２に説明情報入力画面を表示し、この説明情報入力画面において設定情報におけるオブジェクト等の対象物に対して説明情報を入力する（ステップＳ６２）。また、必要に応じて、表示画面設計支援ツール１５は、説明情報処理部５３により、目次情報を出力する際の目次出力項目の設定入力処理を行う（ステップＳ６３）。
【００７８】
次に、説明用コンテンツ情報出力部５４により、上記入力した表示画面の設定情報と説明情報の配置処理を行い、これらの説明用コンテンツ情報の配置に応じた目次リストの抽出処理を行う（ステップＳ６４）。そして、説明用コンテンツ情報出力部５４により、設定情報及び説明情報が配置され、目次情報を含む説明用コンテンツ情報を印刷またはファイル出力によって出力する（ステップＳ６５）。
【００７９】
図２１は第６の実施形態に係る目次情報を含む説明用コンテンツ情報の出力処理の第１例を示す図である。この第１例は、複数の表示画面の設定に基づき、画面毎の複数ページの説明用コンテンツとその目次ページを含む説明用コンテンツ情報を生成、出力する例である。図示例では、それぞれの表示画面を設定する画面設定ダイアログ１５２Ａ、１５２Ｂ、１５２Ｃにおいて、画面番号、背景色、画面タイトル、説明文等の設定情報及び説明情報を入力するようになっている。これらの設定情報及び説明情報に基づき、画面毎に設定情報及び説明情報の配置を行って複数の各画面説明ページの説明用コンテンツ情報１５３Ａ、１５３Ｂが生成される。また、各画面説明ページから画面タイトル、ページ番号等の目次リストを抽出して目次ページの説明用コンテンツ情報１５４が生成される。そして、これらが目次情報を含む説明用コンテンツ情報として印刷またはファイル出力によって出力される。
【００８０】
図２２は第６の実施形態に係る目次情報を含む説明用コンテンツ情報の出力処理の第２例を示す図である。この第２例は、図２０のステップＳ６３で行う目次出力項目の設定に従って目次情報を含む説明用コンテンツ情報を生成、出力する例である。図示例では、表示画面を設定する画面設定ダイアログ１５６Ａ、１５６Ｂ、及び、スイッチの設定を行うスイッチ設定ダイアログ１５７において、各対象物を目次として出力するかどうかの設定が可能になっている。この目次出力項目の設定に基づき、指定された出力項目を含む目次ページの説明用コンテンツ情報１５８が生成され、この目次情報を含む説明用コンテンツ情報が出力される。
【００８１】
本実施形態によれば、説明用コンテンツ情報において、表示画面等の対象物に関する目次を作成して出力することができる。また、目次として出力する／しないを目次出力項目において設定することで、その設定情報に基づき所望の項目を有する目次を作成することができる。使用者は、目次を参照して目的の対象物の説明用コンテンツ情報を容易に取得することができる。
【００８２】
（第７の実施形態）
本実施形態に係る表示画面設計支援装置の第７の実施形態として、設定情報を特定するためのファイル情報を含む説明用コンテンツ情報の生成、出力処理の一例について説明する。
【００８３】
図２３は第７の実施形態に係る設定情報及び説明情報の入力から出力までの処理手順を示すフローチャートである。第７の実施形態では、説明用コンテンツ情報において表示画面の設定情報を特定するためのファイル情報として、該当する元の表示画面の設定情報が格納されたファイル名などの情報を出力可能としている。
【００８４】
表示画面設計支援ツール１５は、第１の実施形態と同様に、表示画面設定情報処理部５１により、モニタ１２に設計画面を表示し、この設計画面において表示画面の設定情報を入力する（ステップＳ７１）。また、表示画面設計支援ツール１５は、第１の実施形態と同様に、説明情報処理部５３により、モニタ１２に説明情報入力画面を表示し、この説明情報入力画面において設定情報におけるオブジェクト等の対象物に対して説明情報を入力する（ステップＳ７２）。
【００８５】
次に、説明用コンテンツ情報出力部５４により、設定情報のファイル情報として、上記入力した表示画面の設定情報が格納された画面設定ファイルのファイル名の取得処理を行う（ステップＳ７３）。この際、設定情報に基づく表示画面の画像データ等が含まれる画面設定ファイルのファイル名を取得する。そして、説明用コンテンツ情報出力部５４により、上記入力した表示画面の設定情報及び説明情報とファイル情報の配置処理を行う（ステップＳ７４）。この際、説明用コンテンツ情報の任意の箇所において、表示画面の画像データ等が含まれる画面設定ファイルのファイル名を配置する。そして、説明用コンテンツ情報出力部５４により、設定情報及び説明情報が配置され、ファイル情報を含む説明用コンテンツ情報を印刷またはファイル出力によって出力する（ステップＳ７５）。
【００８６】
図２４は第７の実施形態に係るファイル情報を含む説明用コンテンツ情報の出力処理の例を示す図である。この例は、表示画面の画像データのファイル名を有する説明用コンテンツ情報を生成、出力する例である。図示例では、操作マニュアルの表紙または裏表紙などのページにおいて、所定部位（右隅など）に表示画面の画像データのファイル名「SCREEN_TYPE1」が配置された説明用コンテンツ情報１６３が生成され、印刷またはファイル出力によって出力される。
【００８７】
本実施形態によれば、設定情報のファイルと、これに対応する説明用コンテンツ情報を出力した印刷またはファイル出力等の出力媒体とを関連付けて管理可能であり、表示画面のデータと説明用コンテンツ情報のデータのとを容易に管理することができる。この際、説明用コンテンツ情報のファイル情報を参照することで、元となる表示画面のデータを特定するための基本情報（ファイル名、作成日付、バージョンなど）を取得でき、対応する設定情報、説明情報を容易に特定して取得、確認することができる。
【００８８】
（第８の実施形態）
本実施形態に係る表示画面設計支援装置の第８の実施形態として、設定情報及び説明情報における単位変換機能を有する説明用コンテンツ情報の生成、出力処理の一例について説明する。
【００８９】
図２５は第８の実施形態に係る設定情報及び説明情報の入力から出力までの処理手順を示すフローチャートである。図２５において、（Ａ）は説明用コンテンツ情報の生成、出力に関する主要な処理手順を示す図、（Ｂ）はＳＩ単位変換処理の詳細な処理手順を示す図である。第８の実施形態では、説明用コンテンツ情報において設定情報及び説明情報の単位変換を行い、国際標準のＳＩ単位に統一した説明用コンテンツ情報を出力可能としている。
【００９０】
表示画面設計支援ツール１５は、第１の実施形態と同様に、表示画面設定情報処理部５１により、モニタ１２に設計画面を表示し、この設計画面において表示画面の設定情報を入力する（ステップＳ８１）。また、表示画面設計支援ツール１５は、第１の実施形態と同様に、説明情報処理部５３により、モニタ１２に説明情報入力画面を表示し、この説明情報入力画面において設定情報におけるオブジェクト等の対象物に対して説明情報を入力する（ステップＳ８２）。
【００９１】
次に、説明情報処理部５３により、設定情報及び説明情報に対してＳＩ単位変換処理を行う（ステップＳ８３）。ここでは説明情報処理部５３が単位変換処理部の機能を有するものとする。この際、説明情報処理部５３は、ＳＩ単位と他の単位との対応関係のパラメータ情報を格納したＳＩ単位データベースを有し、ＳＩ単位への変換を行う。ＳＩ単位データベースには、例えば、荷重：１ｋｇｆ＝９．８１Ｎ、長さ：１ｉｎｃｈ＝２．５４×１０1 ｍｍなどのパラメータ情報が格納される。
【００９２】
ＳＩ単位変換処理では、設定情報及び説明情報の中の全テキストを処理するループを開始し（ステップＳ９１）、各々の設定情報及び説明情報におけるテキストを抽出する（ステップＳ９２）。そして、抽出したテキストに単位情報が含まれているかを判定し（ステップＳ９３）、単位情報が含まれていない場合は次のテキストの処理に移行する。テキストに単位情報が含まれている場合は、続いてＳＩ単位表記であるかどうかを判定する（ステップＳ９４）。ここで、ＳＩ単位表記である場合は次のテキストの処理に移行する。ＳＩ単位表記ではない場合、画面表示等による警告、または単位表示変換処理を行う（ステップＳ９５）。また、必要に応じて、ＳＩ単位データベースのパラメータ情報を参照して数値変換処理を行い（ステップＳ９６）、単位変換に応じた適切な数値に変換する。この際、警告を行って確認を促し、設計者またはコンテンツ作成者からの指示によって単位表示、数値の変換を行ってもよいし、自動的にＳＩへの単位変換を行うようにしてもよい。単位を変換する際には、変更前の単位と変更後の単位（ＳＩ単位）とから変換値を導出し、その変換値を用いて、現在の値から変更後の値（ＳＩ単位）を算出する。そして、設定情報及び説明情報の全テキストについてステップＳ９２〜Ｓ９６の処理を同様に行い、ループが終了すると（ステップＳ９７）、この処理を終了する。
【００９３】
そして、上記のＳＩ単位変換処理の後、説明用コンテンツ情報出力部５４により、設定情報及び説明情報の配置を行う。その後、設定情報及び説明情報が配置された説明用コンテンツ情報を印刷またはファイル出力によって出力する（ステップＳ８４）。
【００９４】
図２６は第８の実施形態に係るＳＩ単位変換処理の第１例を示す図であり、（Ａ）は画面設定ダイアログを示す図、（Ｂ）は警告ダイアログを示す図である。この第１例は、設定情報及び説明情報がＳＩ単位に統一されているかどうかチェックして警告を行う例である。図示例では、図２６（Ａ）のように表示画面の設定において設定情報及び説明情報を入力する際に、画面設定ダイアログ１７２の説明文においてＳＩ単位ではない「ｋｇｆ」の単位を入力した場合を示している。この場合、図２６（Ｂ）のように警告ダイアログ１７５が表示され、ＳＩ単位に変換するかどうかの確認が行われる。ここで、設計者またはコンテンツ作成者が変換指示を行うと、この指示入力に基づいて単位表示、数値の変換処理を実行する。
【００９５】
図２７は第８の実施形態に係るＳＩ単位変換処理の第２例を示す図であり、（Ａ）は画面設定ダイアログを示す図、（Ｂ）は警告ダイアログを示す図である。この第２例は、設定情報及び説明情報がＳＩ単位に統一されているかどうかチェックして自動的に単位変換を行う例である。図示例では、図２７（Ａ）のように表示画面の設定において設定情報及び説明情報を入力する際に、図２６（Ａ）と同様にＳＩ単位ではない「ｋｇｆ」の単位を入力した場合を示している。この場合、自動的に単位表示及び数値の変換処理が行われ、図２７（Ｂ）のように警告ダイアログ１７６が表示され、自動変換した単位表示及び数値の確認が行われる。
【００９６】
本実施形態によれば、表示画面の設定情報または説明情報がＳＩ単位とは異なる場合に、単位変換して適切な表記にすることができる。また、単位の表記の変更と共に、その数値も適正に変更可能である。
【００９７】
（第９の実施形態）
本実施形態に係る表示画面設計支援装置の第９の実施形態として、索引情報を含む説明用コンテンツ情報の生成、出力処理の一例について説明する。
【００９８】
図２８は第９の実施形態に係る設定情報及び説明情報の入力から出力までの処理手順を示すフローチャートである。第９の実施形態では、説明用コンテンツ情報において索引情報を出力可能としている。
【００９９】
表示画面設計支援ツール１５は、第１の実施形態と同様に、表示画面設定情報処理部５１により、モニタ１２に設計画面を表示し、この設計画面において表示画面の設定情報を入力する（ステップＳ９１）。また、表示画面設計支援ツール１５は、第１の実施形態と同様に、説明情報処理部５３により、モニタ１２に説明情報入力画面を表示し、この説明情報入力画面において設定情報におけるオブジェクト等の対象物に対して説明情報を入力する（ステップＳ９２）。
【０１００】
次に、説明用コンテンツ情報出力部５４により、上記入力した表示画面の設定情報及び説明情報におけるテキスト抽出処理を行う（ステップＳ９３）。また、説明用コンテンツ情報出力部５４により、索引情報を出力する際の索引出力項目の設定入力処理を行う（ステップＳ９４）。
【０１０１】
その後、説明用コンテンツ情報出力部５４により、上記入力した表示画面の設定情報と説明情報の配置処理を行い、前記テキスト情報の抽出結果と索引出力項目の設定とに基づき、説明用コンテンツ情報の索引リストの抽出処理を行う（ステップＳ９５）。そして、説明用コンテンツ情報出力部５４により、設定情報及び説明情報が配置され、索引情報を含む説明用コンテンツ情報を印刷またはファイル出力によって出力する（ステップＳ９６）。
【０１０２】
図２９は第９の実施形態に係る索引情報を含む説明用コンテンツ情報の出力処理の例を示す図である。図２９において、（Ａ）は表示画面の設計画面を示す図、（Ｂ）は抽出したテキスト情報を示す図、（Ｃ）は説明用コンテンツ情報の出力イメージを示す図である。この例は、表示画面のオブジェクトから索引情報を生成し、索引ページを含む説明用コンテンツ情報を生成、出力する例である。図示例では、図２９（Ａ）のように表示画面の設計画面１８１において、表示画面上に画面タイトルとオブジェクトとしてのスイッチボタンを配置した場合に、図２９（Ｂ）のように各対象物のテキスト情報１８５が抽出される。この抽出したテキスト情報１８５と設定入力した索引出力項目とに基づき、指定された出力項目を含む索引ページの説明用コンテンツ情報１８３が生成され、この索引情報を含む説明用コンテンツ情報が出力される。
【０１０３】
本実施形態によれば、説明用コンテンツ情報において、設定情報及び説明情報のテキスト情報を抽出し、これらのテキスト情報から索引を作成して出力することができる。使用者は、索引を参照して目的の対象物の説明用コンテンツ情報を容易に取得することができる。
【０１０４】
（第１０の実施形態）
本実施形態に係る表示画面設計支援装置の第１０の実施形態として、変更履歴情報を含む説明用コンテンツ情報の生成、出力処理の一例について説明する。
【０１０５】
図３０は第１０の実施形態に係る設定情報及び説明情報の入力から出力までの処理手順を示すフローチャートである。第１０の実施形態では、説明用コンテンツ情報において変更履歴情報を出力可能としている。
【０１０６】
表示画面設計支援ツール１５は、第１の実施形態と同様に、表示画面設定情報処理部５１により、モニタ１２に設計画面を表示し、この設計画面において表示画面の設定情報を入力する（ステップＳ１０１）。また、表示画面設計支援ツール１５は、第１の実施形態と同様に、説明情報処理部５３により、モニタ１２に説明情報入力画面を表示し、この説明情報入力画面において設定情報におけるオブジェクト等の対象物に対して説明情報を入力する（ステップＳ１０２）。また、表示画面の設定情報または説明情報の変更があった場合、説明情報処理部５３により、変更日付、バージョンの情報を入力し（ステップＳ１０３）、変更内容の入力を行う（ステップＳ１０４）。これらの変更日付、バージョン、変更内容の入力については、変更履歴情報入力部を設け、例えばモニタ１２に変更履歴入力画面を表示し、設計者またはコンテンツ作成者による操作部２５の指示操作等に基づいて行えばよい。
【０１０７】
次に、説明用コンテンツ情報出力部５４により、上記入力した表示画面の設定情報及び説明情報と、これらの設定情報と説明情報の少なくとも一方に関する、変更日付、バージョン、変更内容等の変更履歴情報の配置処理を行う（ステップＳ１０５）。この際、説明用コンテンツ情報の任意の箇所において、変更日付、バージョン等を配置する、あるいは、変更履歴ページを設けて変更履歴情報を列記するなどの配置を行う。そして、説明用コンテンツ情報出力部５４により、設定情報及び説明情報が配置され、変更履歴情報を含む説明用コンテンツ情報を印刷またはファイル出力によって出力する（ステップＳ１０６）。
【０１０８】
図３１は第１０の実施形態に係る変更履歴情報を含む説明用コンテンツ情報の出力処理の例を示す図である。図示例では、説明用コンテンツ情報のファイル出力を行う際に変更履歴情報の入力を行うものとし、変更履歴入力画面としてファイル出力設定ダイアログ１９２を設けている。このファイル出力設定ダイアログ１９２において、現在のバージョン、変更日付、変更履歴としての各バージョンと変更日付、及び変更内容を入力するようになっている。これらの変更履歴情報に基づき、変更履歴情報を含む説明用コンテンツ情報が生成されて出力される。第１例として、図中上側のように表紙などのページにおいてバージョン、変更日付が配置された説明用コンテンツ情報１９３の出力イメージが生成される。この場合、説明用コンテンツ情報の出力ファイル名にもバージョン、日付を含めるようにしてもよい。また、第２例として、図中下側のように任意のページにバージョン、変更日付、変更内容を含む変更履歴表が配置された説明用コンテンツ情報１９４の出力イメージが生成される。
【０１０９】
本実施形態によれば、説明用コンテンツ情報の出力媒体の版管理が可能である。この際、変更日付、バージョン、変更内容等の変更履歴情報を入力し、説明用コンテンツ情報において変更履歴表などを作成して出力することもできる。また、変更履歴情報を出力媒体のファイル名などに付加することも可能である。
【０１１０】
（第１１の実施形態）
本実施形態に係る表示画面設計支援装置の第１１の実施形態として、表示画面の対象物の関係情報を含む説明用コンテンツ情報の生成、出力処理の一例について説明する。
【０１１１】
図３２は第１１の実施形態に係る設定情報及び説明情報の入力から出力までの処理手順を示すフローチャートである。第１１の実施形態では、説明用コンテンツ情報において、表示画面の画面間の関係、オブジェクト間の関係などを示す各対象物の関係情報を出力可能としている。
【０１１２】
表示画面設計支援ツール１５は、第１の実施形態と同様に、表示画面設定情報処理部５１により、モニタ１２に設計画面を表示し、この設計画面において表示画面の設定情報を入力する（ステップＳ１１１）。また、表示画面設計支援ツール１５は、第１の実施形態と同様に、説明情報処理部５３により、モニタ１２に説明情報入力画面を表示し、この説明情報入力画面において設定情報におけるオブジェクト等の対象物に対して説明情報を入力する（ステップＳ１１２）。また、説明情報処理部５３により、複数の表示画面の画面間、オブジェクト間などの関係を示す関係情報を入力する（ステップＳ１１３）。この関係情報の入力については、関係情報入力部を設け、例えばモニタ１２に関係情報入力画面を表示し、設計者またはコンテンツ作成者による操作部２５の指示操作等に基づいて行えばよい。
【０１１３】
次に、説明用コンテンツ情報出力部５４により、上記入力した表示画面の設定情報及び説明情報と、関係情報の配置処理を行う（ステップＳ１１４）。この際、説明用コンテンツ情報において、関係情報に基づく画面間の関係図などを配置する。そして、説明用コンテンツ情報出力部５４により、設定情報及び説明情報が配置され、関係情報が配置された説明用コンテンツ情報を印刷またはファイル出力によって出力する（ステップＳ１１５）。
【０１１４】
図３３は第１１の実施形態に係る変更履歴情報を含む説明用コンテンツ情報の出力処理の例を示す図である。図示例では、図中上側のように関係情報入力画面として関係情報設定画面２０１を設けた場合、及び、図中下側のように関係情報入力画面として関係情報を入力可能な画面設定ダイアログ２０２、スイッチ設定ダイアログ２０３を用いた場合を示している。関係情報設定画面２０１では、各画面間、オブジェクト間の関係を設定入力するようになっている。この際、各画面間の関係、特定の画面に移行する条件となるオブジェクトの動作、各オブジェクト間の関係などを示す関係図を作成して設定する。関係図は、例えば画面操作の流れが一目で判るような画面遷移図などとして構成すればよい。また、画面設定ダイアログ２０２では、上位画面、下位画面などの画面間の関係を入力可能になっている。スイッチ設定ダイアログ２０３では、当該オブジェクトに関する画面切替のトリガー情報として、オブジェクトと画面との関係を入力可能になっている。これらの入力した関係情報に基づき、複数の表示画面の画面間、及びオブジェクトの関係を示す関係図などが配置された説明用コンテンツ情報２０４の出力イメージが生成され、この関係情報を含む説明用コンテンツ情報が出力される。
【０１１５】
本実施形態によれば、表示画面間、オブジェクト間などの対象物の関係を示す説明用コンテンツ情報を出力でき、使用者が容易に対象物の関係を把握することが可能になる。この際、関係図などによって対象物の関係を示すことで、設定情報、説明情報、及びこれらの関係情報を関連付けた形式で出力可能である。
【０１１６】
図３４は本実施形態における説明用コンテンツ情報の全体構成を示す図である。上述した実施形態による説明用コンテンツ情報の出力処理に基づいて、設定情報及び説明情報とともに他の関連情報を含む説明用コンテンツ情報が生成され出力される。図示例では、表紙２１１、目次２１２、変更履歴２１３、画面全体図２１４、画面説明ページ２１５、２１６、２１７、索引２１８等が生成され、印刷またはファイル出力等によって出力される。
【０１１７】
上述したように、本発明の各実施形態によれば、表示画面設計支援装置において画面設計の機能だけでなく、その後必要となる操作マニュアル等の説明用コンテンツに関する作成支援の機能を持ち合わせることによって、表示画面の設計と説明用コンテンツの作成とを一連の処理で実行でき、表示画面の作成から説明用コンテンツの作成までの作業の効率化を図ることができる。
【０１１８】
なお、本発明は、本発明の趣旨ならびに範囲を逸脱することなく、明細書の記載、並びに周知の技術に基づいて、当業者が様々な変更、応用することも本発明の予定するところであり、保護を求める範囲に含まれる。また、発明の趣旨を逸脱しない範囲で、上記実施形態における各構成要素を任意に組み合わせてもよい。
【符号の説明】
【０１１９】
１０  パーソナルコンピュータ（ＰＣ）
１１  コンピュータ本体
１２  モニタ
１３  ＣＰＵ
１４  メモリ
１５  表示画面設計支援ツール
１６  情報格納部
１７  表示インタフェース
１８  通信インタフェース
１９  操作インタフェース
２０  通信ケーブル
２５  操作部
３０  プログラマブル操作表示器
３１  表示部
３２  システムメモリ
３３  制御部
３４  通信部
３５  設定記憶メモリ
３６  ＬＣＤ
３７  タッチパネル
４１  設計画面
４２  配置オブジェクト
４３  オブジェクトライブラリ画面
４４  オブジェクト
５１  表示画面設定情報処理部
５２  オブジェクト情報保持部
５３  説明情報処理部
５４  説明用コンテンツ情報出力部
１０１、１１１Ａ、１１１Ｂ、１５２Ａ、１５２Ｂ、１５２Ｃ、１５６Ａ、１５６Ｂ、１７２、２０２  画面設定ダイアログ
１０２、１１２Ａ、１１２Ｂ、１４２、１５７、２０３  スイッチ設定ダイアログ
１０３、１０４、１０５、１２３Ａ、１２３Ｂ、１３３Ａ、１３３Ｂ、１４３、１５３Ａ、１５３Ｂ、１５４、１５８、１６３、１８３、１９３、１９４、２０４  説明用コンテンツ情報
１０６  配置編集画面
１１３  設定情報入力画面
１１４  説明情報入力画面
１２１Ａ、１２１Ｂ、１４１  表示画面
１２２Ａ、１２２Ｂ、１３２Ａ、１３２Ｂ  印刷設定ダイアログ
１７５、１７６  警告ダイアログ
１８１  設計画面
１８５  テキスト情報
１９２  ファイル出力設定ダイアログ
２０１  関係情報設定画面 
【図１】
2011076213.tif 000003
【図２】
2011076213.tif 000004
【図３】
2011076213.tif 000005
【図４】
2011076213.tif 000006
【図５】
2011076213.tif 000007
【図６】
2011076213.tif 000008
【図７】
2011076213.tif 000009
【図８】
2011076213.tif 000010
【図９】
2011076213.tif 000011
【図１０】
2011076213.tif 000012
【図１１】
2011076213.tif 000013
【図１２】
2011076213.tif 000014
【図１３】
2011076213.tif 000015
【図１４】
2011076213.tif 000016
【図１５】
2011076213.tif 000017
【図１６】
2011076213.tif 000018
【図１７】
2011076213.tif 000019
【図１８】
2011076213.tif 000020
【図１９】
2011076213.tif 000021
【図２０】
2011076213.tif 000022
【図２１】
2011076213.tif 000023
【図２２】
2011076213.tif 000024
【図２３】
2011076213.tif 000025
【図２４】
2011076213.tif 000026
【図２５】
2011076213.tif 000027
【図２６】
2011076213.tif 000028
【図２７】
2011076213.tif 000029
【図２８】
2011076213.tif 000030
【図２９】
2011076213.tif 000031
【図３０】
2011076213.tif 000032
【図３１】
2011076213.tif 000033
【図３２】
2011076213.tif 000034
【図３３】
2011076213.tif 000035
【図３４】
2011076213.tif 000036